(57)【要約】【課題】マンション等の高層階における玄関扉等において、室内外の気圧差が生じている場合であっても、扉を容易に開放することを可能とする。【解決手段】扉１の表裏面に対して接離方向に移動自在とされるグリップ２を備え、扉１の開く方向に押す或いは引くことによりラッチ１２を後退或いは後退を許容させて扉１の開放が行われる扉の構造において、グリップ２の近傍に設けられ揺動自在なレバー２６，２７と、レバー２６，２７の揺動に連動し、木口１ｃより突出する突出杆２３と、扉１の閉鎖時における木口１ｃに対向する建物側枠体４２に配設され、突出杆２３の突出時に当接し、突出杆２３の突出方向に対して略直交する扉１の開放方向へ、突出杆２３の突出とともに扉１を揺動させる当接部４１とを具備する。【選択図】        図５
2004285656.tif 000002
【特許請求の範囲】
【請求項１】
扉の木口より進退自在なラッチを有し、該ラッチの進出状態の保持及び該保持状態の解除を行う連動機構を備え、前記扉の表裏面に対して接離方向に移動自在とされて設けられる杆状の把手を、前記扉の開く方向に押す或いは引くことにより、前記連動機構を介して前記ラッチを後退或いは後退を許容させ同時に前記扉の開放が行われる扉の構造において、
前記把手の近傍に設けられ揺動自在なレバーと、
該レバーの揺動に連動し、前記扉の木口より突出する突出杆と、
前記扉の閉鎖時における該扉の木口に対向する建物側枠体に配設され、前記突出杆の突出時に当接し、該突出杆の突出方向に対して略直交する前記扉の開放方向へ、前記突出杆の突出とともに前記扉を揺動させる当接部と、
を具備することを特徴とする扉の構造。
【請求項２】
前記連動機構が、前記レバーに連動連結され、該レバーの揺動を前記連動機構に伝えることを特徴とする請求項１記載の扉の構造。
【請求項３】
前記突出杆の先端形状が、前記扉の閉鎖方向側の側面を斜面とする略くさび状とされ、前記当接部が、ローラよりなることを特徴とする請求項１又は２記載の扉の構造。
【請求項４】
前記レバーは、把手と扉面の間に配置されることを特徴とする請求項１又は２又は３記載の扉の構造。
【請求項５】
前記レバーは、前記扉の面に対して平行に揺動自在とされるとともに、該扉面に対して離脱方向に揺動自在となる自在継手を備えることを特徴とする請求項１，２，３，４のいずれか１つに記載の扉の構造。
【請求項６】
前記レバーの先端近傍には、前記把手の裏面に当接する緩衝部を備えることを特徴とする請求項５記載の扉の構造。
【発明の詳細な説明】
【０００１】
【発明の属する技術分野】
本発明は、例えばマンションなどの高層階の玄関や気密化された部屋の出入口等に配設され、部屋の内外に生じてしまった気圧差を解消する扉の構造に関するものである。
【０００２】
【従来の技術】
マンションなどの住居においては、近年では高気密化されていることから、居室内の換気扇などの運転により、室外に比べ室内の気圧が低下し、すなわち室内外で気圧差が生じてしまい、玄関ドアの開放に大きな力が必要となることがある。このような場合、特に高齢者や子供などは、ドアの開放が困難となる。
【０００３】
従来、上記のような不具合を解消するために、種々案出されている。例えば、以下に示す特許文献１や特許文献２では、ドア自体に窓穴を予め穿設し、この窓穴に対して開閉する開閉板を設けたものである。そして、この開閉板をレバーハンドルの揺動操作に連動させて、ドアの開放直前に、この開閉板の開放を行って、室内外の気圧差を解消させている。
【０００４】
【特許文献１】
特公平４−６６９８８号公報
【特許文献２】
特開平１１−３２４５１９号公報
【０００５】
【発明が解決しようとする課題】
しかしながら、上述した従来の室内外の気圧差を解消する構造では、ドア自体に窓穴を穿設することから、ドアの意匠性を低下させる欠点がある。また、窓穴の部分の気密性の確保を行わなければならない構造を必要とするとともに、この窓穴に対して開閉する開閉板の開閉機構などを必要とし、容易に得ることができないという欠点がある。さらに、玄関ドアの場合では、窓穴を穿設することで防犯性を低下させてしまう場合があった。
【０００６】
そこで本発明は、上記問題点を解消するために、マンションなどの高層階における玄関ドアなどの扉において、室内外の気圧差が生じている場合であっても、扉自体に窓穴を設けるなどの構成を採ることなく、扉を容易に開放することが可能な扉の構造を提供することを目的としている。
【０００７】
【課題を解決するための手段】
次に、上記の課題を解決するための手段を、実施の形態に対応する図面を参照して説明する。
この発明の扉の構造は、扉１の木口１ｃより進退自在なラッチ１２を有し、該ラッチ１２の進出状態の保持及び該保持状態の解除を行う連動機構１０を備え、前記扉１の表裏面に対して接離方向に移動自在とされて設けられる杆状の把手２を、前記扉１の開く方向に押す或いは引くことにより、前記連動機構１０を介して前記ラッチ１２を後退或いは後退を許容させ同時に前記扉１の開放が行われる扉の構造において、
前記把手２の近傍に設けられ揺動自在なレバー２６，２７と、
該レバー２６，２７の揺動に連動し、前記扉１の木口１ｃより突出する突出杆２３と、
前記扉１の閉鎖時における該扉１の木口１ｃに対向する建物側枠体４２に配設され、前記突出杆２３の突出時に当接し、該突出杆２３の突出方向に対して略直交する前記扉１の開放方向へ、前記突出杆２３の突出とともに前記扉１を揺動させる当接部４１と、
を具備することを特徴とする。
【０００８】
なお、前記連動機構１０が、前記レバー２６，２７に連動連結され、該レバー２６，２７の揺動を前記連動機構１０に伝える構成としてもよく、また、前記突出杆２３の先端形状が、前記扉１の閉鎖方向側の側面を斜面とする略くさび状とされ、前記当接部４１が、ローラ４４よりなる構成としてもよい。
【０００９】
また、前記レバー２６，２７は、把手２と扉面１ａ，１ｂの間に配置される構成や、前記扉１の面１ａ，１ｂに対して平行に揺動自在とされるとともに、該扉面１ａ，１ｂに対して離脱方向に揺動自在となる自在継手３６を備える構成としてもよく、この自在継手３６の構成においては、前記レバー２６，２７の先端近傍に、前記把手２の裏面２ａに当接する緩衝部３９を備える構成が好ましい。
【００１０】
このような扉の構造によれば、マンションなどの高層住宅などにおける玄関ドアなどの扉において、室内と室外とで気圧差が生じ、扉１の開放が困難になった場合、扉面に配設された把手２近傍のレバー２６，２７を揺動させることで、扉１の木口１ｃより突出杆２３を進出させ、この突出杆２３を建物側枠体４２に設けた当接部４１に当接させて、互いの当接により生じる開放方向の扉１の移動にて、扉端縁と建物側の端縁との間に間隙Ｃを生じさせ、室内外の気圧差を解消させることが可能となる。これにより、扉１は、気圧差による開放困難が解消されて、小さな力でも開放を行うことが可能となる。また、従来のような窓穴などを設ける特別な構造などではなく、複雑な機構も用いてないことから、気密性の低下や防犯性の低下などを起こすことがなく、簡素な構成で容易に実現できる。
【００１１】
また、レバー２６，２７の揺動を連動機構１０に伝わる構成とすることで、レバー２６，２７の揺動から扉１の開放への操作をスムーズに行うことができ、この扉１の開放時に、気圧差解消のための操作を有することを意識しなくとも、楽に扉１を開放させることが可能となる。さらに、突出杆２３の先端に斜面２３ｂを設け、当接部４１をローラ４４にて構成させることで、互いの接触時が線接触となるとともに、ローラ４４が回転することで、突出杆２３の進出移動を助勢でき、扉１の開放方向への移動をスムーズなものとすることができる。また、レバー２６，２７に自在継手３６を備える構成としたことで、開放操作時に把手２を引く側では、レバー２６とともに把手２を掴み持って引く操作となるが、把手２の移動に伴ってレバー２６の先端側が扉面１ｂより離脱する方向へ揺動移動するので、把手２の移動を妨げることがなく、扉１の開放操作をスムーズに行うことができるという効果がある。
【００１２】
さらに、レバー２先端近傍に、把手２の裏面２ａに当接する緩衝部３９を設けたことで、上記のような把手２の掴み持つ操作時に、レバー２６と把手２とが当接しても、把手２側に傷をつけることがない。このことから、把手２の塗膜やメッキの剥離などを発生させることがない。
【００１３】
【発明の実施の形態】
図１は本発明による扉の構造の一実施の形態を示す正面図、図２は同扉の構造の側断面図、図３は同扉の構造の機構部分を示す概略正面図である。
【００１４】
本実施の形態の扉の構造は、室外面及び室内面に、略杆状に形成される把手としてのグリップ２がそれぞれ略垂直縦方向を長手方向として配設され、これらグリップ２が、上下両端部を扉１の表裏面に取り付けられた上下座部３，４に保持されて取り付けられる。各座部３，４に対するグリップ２は、室内側Ｉではグリップ２が扉面１ａに近接する方向に移動自在であり、室外側Ｏではグリップ２が扉面１ｂより離れる方向に移動自在となっており、所謂プッシュプル錠を構成している。なお、上下各座部３，４には、図２に示すように、室外側Ｏの各座部３，４にはシリンダ錠５がそれぞれ設けられ鍵穴５ａが表出し、室内側Ｉの各座部３，４にはサムターン６がそれぞれ設けられ、ワンドア・ツーロックを構成している。
【００１５】
各座部３，４内には、グリップ２の移動方向である扉面１ａ，１ｂに対して近接或いは離脱の移動方向に連動して、扉１内の錠箱機構部７内に延出するリンク片８，９を揺動させる機構部（図示せず）が内蔵されている。このリンク片８，９は、その先端が、図３に示すように錠箱機構部７に配設される連動機構１０に係合するようになっている。
【００１６】
なお、各座部３，４に設けられるシリンダ錠５及びサムターン６は、これらに連動する施解錠機構（図示せず）に連動連結されて、扉１の木口１ｃよりデッドボルト（図示せず）を進退させ、すなわち、扉１の施錠及び解錠を行うようになっている。
【００１７】
本実施の形態では、リンク片８，９は、上座部３内に揺動基端が設けられ、図２に示すように、この上座部３内から扉１に内設される錠箱機構部７内に延出し、この錠箱機構部７に対して上下方向に揺動するようになっている。
【００１８】
錠箱機構部７内には、シリンダ錠５及びサムターン６に連結される例えばデッドボルトを進退させる施解錠機構（図示せず）と、ラッチ１２と、連動機構１０と、気圧差解消装置２２を構成する突出杆２３とが略配設されている。
【００１９】
ラッチ１２は、本実施の形態では、反転式ラッチとされ、すなわち、閉扉動作時には、一般的なラッチ錠と同様に錠箱１３内に後退し、開扉時には、反転動作して解錠が行えるものである。このラッチ１２は、ラッチ本体１４と、ガイド部１６とで構成されている。
【００２０】
ラッチ本体１４は、先端が、衝止面と、この衝止面に対し所定の角度に斜めに形成されるガイド面１４ａとで略三角形状とされ、上下両端面に鍔部１４ｂが突設されている。そして、錠箱１３のフロント板１５裏面からその周縁部に両鍔部１４ｂが掛かり、このフロント板１５より先端が突出する。
【００２１】
ラッチ本体１４には、図示しないが、ガイド部１６を構成する圧縮コイルバネなどの付勢部材（図示せず）が後端側に配設され、先端が常にフロント板１５より突出するよう付勢されている。通常時、ラッチ本体１４は、フロント板１５から突出した状態で、衝止面が扉面１ａと平行となり、相手側のストライク１７の係止穴に係合する。すなわち扉１の開放を規制する。また、閉扉動作時には、ストライク板１７の端縁にガイド面１４ａが当接することで、付勢部材の付勢力に抗してフロント板１５より後退する。さらに開扉時には、ラッチ本体１４を支持するガイド部１６が後退して、ラッチ本体１４は衝止面がストライク板１７の係止穴縁部に当接し、鍔部１４ｂの位置で反転動作となり、ガイド部１６が後退していることからラッチ本体１４が後退を許容され、これによりフロント板１５より後退して扉１が開放となる。
【００２２】
連動機構１０は、上記ラッチ１２と、リンク片８，９及び後述する気圧差解消装置２２との間に介設される。この連動機構１０は、本実施の形態では、それぞれ略Ｌ字状に形成された複数の揺動片１９，１９を組み合わせて構成され、ラッチ１２の後端側に配設される。各揺動片１９，１９は、それぞれ揺動自在に錠箱１３内に配置され、ラッチ本体１４に対して係脱される掛止部２０を備えた先端側揺動片１９が、リンク片８，９の揺動に連動してラッチ１２に対して進退し、このラッチ１２の後退の規制及び規制解除を行うとともに、後述するレバー２６，２７の作動に連動してラッチ１２に対する規制及び規制解除を行うようになっている。
【００２３】
気圧差解消装置２２は、突出杆２３と、レバー２６，２７と、当接部４１とで略構成されている。
突出杆２３は、錠箱１３内にてスライド移動自在に配設され、先端２３ａがフロント板１５より進退自在に配設されている。この突出杆２３は、略角柱状に形成され、長手方向を扉面１ａ，１ｂに沿わせて配置され、圧縮コイルバネなどよりなる付勢部材２４によって、通常時、先端部分がフロント板１５より突出しない状態を維持されている。突出杆２３の先端２３ａは、本実施の形態では、図４，５に示すように、扉１の閉鎖方向側となる側面を所定角度、本実施の形態では約４５°の斜面２３ｂとされ、略くさび状に形成されている。また、この突出杆２３の基端は、レバー２６，２７と連動連結されている。
【００２４】
レバー２６，２７は、扉１の表裏面１ａ，１ｂに配設される。本実施の形態では、図２に示すように、表裏面に配設される各グリップ２と扉面１ａ，１ｂとの間隙部分に配設され、通常の状態で、図１に示すように、扉１に対し略垂直なグリップ２に対して所定角度、本実施の形態では約６０°斜めに延設され、また、図２に示すように、中途が略Ｚ字状に折曲形成されて先端２６ａ，２７ａが扉面１ａ，１ｂから離間している。各レバー２６，２７の基端２６ｂ，２７ｂは、図１，２に示すように、扉面１ａ，１ｂに対して、座板２８を介して所定の角度範囲を回転可能に取り付けられるとともに、断面矩形状の軸２９にて互いが連結され、表裏に位置する各レバー２６，２７は、同時に扉面１ａ，１ｂに沿って揺動する。
【００２５】
このレバー基端２６ｂ，２７ｂの軸２９には、図３に示すような、従動回転板３１が取り付けられている。従動回転板３１は、錠箱１３内に配設され、連動腕３２が延設されている。連動腕３２は、突出杆２３に連動連結され、すなわち、レバー２６，２７の揺動を突出杆２３に伝えるようになっている。また、この従動回転板３１には、外周縁に凹部３３を形成した連動縁部３４が形成されており、上記連動機構１０に係合するようになっている。すなわち、レバー２６，２７の揺動により、連動縁部３４が、連動機構１０の揺動片１９を揺動させ、ラッチ１３に対する規制解除が行われるようになっている。
【００２６】
また、レバー２６，２７の先端近傍は、揺動することによってグリップ２に近接するようになっており、特に、扉１の室外面１ｂに配置されるレバー２６の先端２６ａは、室外側Ｏのグリップ２の裏面に近接するとともに、このグリップ裏面２ａに当接が可能となっている。すなわち、この室外側Ｏのレバー２６は、図２に示すように、基端２６ｂの軸２９との連結部分に、自在継手３６が介設され、レバー２６が扉面１ｂに平行に揺動自在とされるとともに、扉面１ｂに対して離脱方向に揺動自在とされている。
【００２７】
この室外側レバー２６の先端２６ａには、図１，２に示すように、グリップ裏面２ａとの対向面に、断面略Ｕ字状の凹溝３８が形成され、この凹溝３８内に緩衝部としてのローラ３９が配設される。このローラ３９は、凹溝３８内にて回転自在とされて軸支される構成としてもよく、軟質樹脂やゴムなどで構成され、外側面の一部が対向面２６ｃより突出し、レバー２６揺動時に、グリップ裏面２ａと当接可能になっている（図６参照）。
【００２８】
なお、このレバー２６（２７）の先端部分は、グリップ２の裏面２ａから外側面に沿う側縁部３０が延設され、断面略Ｌ字状に形成されている。この側縁部３０により、グリップ２とレバー２６（２７）とを掴んだ際に、指を挟みにくくしている。
【００２９】
当接部４１は、建物側の枠体４２におけるストライク板１７の下部に配設される。この当接部４１は、図４，５に示すように、本実施の形態では、支持ブラケット４３と、ローラ４４とで略構成されている。
【００３０】
支持ブラケット４３は、枠体４２に形成された凹部４２ａに固設され、この凹部４２ａ底面に対して、扉１の木口１ｃに向かって延出するように構成される。ローラ４４は支持ブラケット４３の先端に設けられており、軸４５を扉１の木口１ｃに沿わせ垂直方向とされて回転自在に配設されている。
【００３１】
この支持ブラケット４３が固設される凹部４２ａは、ストライク板１７の板面よりも深く、扉１の木口１ｃより離間した位置を底面とする形状に構成されるとともに、扉１の開放方向側が開口した形状とされ、建物側枠体４２としては、室外側Ｏに向かう段部のように形成される。なお、この支持ブラケット４３の延出位置は、図４（ａ）に示すように、閉扉状態の木口１ｃにおける突出杆２３の中心線上ではなく、突出杆２３の最先端に近接した、やや偏芯した位置とされている。そして、この突出杆２３は、突出動作が行われることで、支持ブラケット先端のローラ４４に当接し、このローラ４４の回転と、突出杆先端２３ａの斜面２３ｂとで、ローラ４４に対して突出杆２３側を進出方向に対して略直交方向に移動させるようになっている。
【００３２】
次に、上述のように構成された扉の構造の動作について説明する。
なお、この動作の説明において、扉１は、シリンダ錠５やサムターン６により施錠されている状態ではない。
【００３３】
まず、閉扉時において、室内と室外とで気圧差が生じていない状態では、通常の開操作にて扉の開放を行うことが可能である。すなわち、室外ではグリップ２を掴み持ち引く操作を、室内ではグリップ２を押す操作を行うことで、扉１の開放を行うことが可能である。このグリップ２の操作では、扉面１ａ，１ｂに対する近接或いは離脱の移動方向に連動して、リンク片８，９が揺動し、錠箱１３内の連動機構１０を作動させ、これによりラッチ１２を後退可能とし、室外側Ｏではグリップ２とともに扉１を引き、室内側Ｉではグリップ２とともに扉１を押すことで、ラッチ１２のストライク板１７との係合が解除されて離脱し、開放となる。
【００３４】
次に、閉扉時において、室内と室外とで気圧差が生じ、扉１の開放が困難となった場合では、グリップ２と扉面１ａ，１ｂとの間であり斜めに延出しているレバー２６，２７を、グリップ２とともに握る。すなわちレバー２６，２７の先端側をグリップ２に沿わせるように揺動させる（図４中矢線Ａ）。
【００３５】
すると、図５，７に示すように、レバー２６（２７）の揺動に連動して、これに連動連結される突出杆２３が進出を始める。フロント板１５より進出する突出杆２３は、その先端２３ａが、当接部４１のローラ４４に当接する。
レバー２６（２７）の揺動に伴い突出杆２３が進出し、この進出によって突出杆２３先端の斜面２３ｂが当接部４１のローラ４４に当接して、ローラ４４の回転によって斜面２３ｂが扉の開放方向に移動となり、すなわち扉１自体を開放方向に移動させる。
このような、突出杆２３の先端の斜面２３ｂと、当接部４１のローラ４４の構成によれば、互いの接触時が線接触となるとともに、ローラ４４が回転することで、突出杆２３の進出移動を助勢できることとなって、扉１の開放方向への移動をスムーズなものとすることができる。
【００３６】
これにより、扉１の室内側面１ａにおける端縁と、建物側枠体４２の戸当たり４６との間を、こじ開けるようになり、このことから、扉１の端縁と戸当たり４６との間Ｃに数ｍｍ〜十数ｍｍの隙間を生じさせ、室内外の気圧差を解消させることとなる。本実施の形態では、突出杆２３が約１７ｍｍ進出し、この突出杆２３の斜面２３ｂと当接部４１のローラ４４により、約１２ｍｍ扉１が開放方向に動き、レバー２６の揺動操作のみという大きな力を必要としない操作で扉１の開放を始めることが可能となる。
【００３７】
同時に、このレバー２６の揺動操作により、錠箱２３内にて連動機構１０を介してラッチ１２に対する規制状態を解除し（図７参照）、その後、グリップ２を、室外側Ｏからは引く、室内側Ｉからは押す、操作で、ラッチ１２は反転して後退し、扉１が開放となる。このときの開放は、上記気圧差の解消後であることから、小さな力で開放操作が可能となる。
【００３８】
すなわち、レバー２６の揺動を連動機構１０に伝える構成としたので、レバー２６の揺動から扉１の開放への操作をスムーズに行うことができ、この扉１の開放時に、気圧差解消のための操作を有することを意識しなくとも、扉の開放操作を容易なものとするプッシュプル錠に、レバー操作のみが加わったのみであり、レバー２６操作が扉を開放させるように意識させることができる。
【００３９】
なお、室外側Ｏとなるグリップ２を引く側では、レバー２６とともにグリップ２を掴み持って引く操作となるが、レバー２６の基端に自在継手３６を設けたことで、図６に示すように、グリップ２の移動に伴ってレバー２６の先端側が扉面１ｂより離脱する方向へ揺動移動するので、グリップ２の移動を妨げることがなく、扉１の開放操作をスムーズに行える。
【００４０】
従ってこのように構成された扉の構造では、マンションなどの高層住宅などにおける玄関ドアなどの扉１において、室内と室外とで気圧差が生じ、扉１の開放が困難になった場合、扉面１ａ，１ｂに配設されたグリップ２近傍のレバー２６，２７を揺動させることで、扉１の木口１ｃより突出杆２３を進出させ、この突出杆２３を建物側枠体４２に設けた当接部４１に当接させて、互いの当接により生じる開放方向の扉１の移動にて、扉端縁と建物側の端縁との間に間隙Ｃを生じさせ、室内外の気圧差を解消させる。これにより、扉１は、気圧差による開放困難が解消されて、小さな力で開放を行うことが可能となる。また、従来のような窓穴などを設ける特別な構造などではなく、複雑な機構も用いてないことから、気密性の低下や防犯性の低下などを起こすことがなく、簡素な構成で容易に実現できる。
【００４１】
なお、上述した実施の形態では、突出杆２３の先端に斜面２３ｂを設け、建物枠側４２にローラ４４を備えた当接部４１を設けた構成の例について述べたが、これら突出杆２３と当接部４１とは、その他の構成としてもよく、例えば、突出杆２３の先端に回転自在なローラを設け、建物枠側４２に斜面を設ける構成としてもよい。
この場合、突出杆２３の先端が進出するに伴い、斜面に沿ってローラが転動し、これにより、扉１を開放する方向に移動させることができ、このことから、上記同様に室内外に気圧差があった場合などに、これを解消できることとなる。
【００４２】
また、上述した実施の形態では、レバー２６の基端に自在継手３６を有し、扉面１ｂと平行な方向に揺動自在とされるとともに、扉面１ｂに対して離脱方向にも揺動自在とされて、レバー２６が、グリップ２の移動に伴うことを可能とし、かつ、連動機構１０とレバー２６とを連動連結とし、レバー２６の揺動を連動機構１０に伝える構成とした例について述べたが、レバー２６の扉面１ｂに平行な揺動操作のみで、扉１の端縁と建物側の戸当たり４６との間隙Ｃを生じさせる構成であることから、上記したような自在継手３６の構成や、連動機構１０との連動連結の構成が無くとも、上記同様の、室内外における気圧差の解消を行うことが可能な効果を得ることができる。
【００４３】
【発明の効果】
以上説明したように本発明による扉の構造では、マンションなどの高層住宅などにおける玄関ドアなどの扉において、室内と室外とで気圧差が生じ、扉の開放が困難になった場合、扉面に配設された把手近傍のレバーを揺動させることで、扉の木口より突出杆を進出させ、この突出杆を建物側枠体に設けた当接部に当接させて、互いの当接により生じる開放方向の扉の移動にて、扉端縁と建物側の端縁との間に間隙を生じさせ、室内外の気圧差を解消させることが可能となる。
これにより、扉は、気圧差による開放困難が解消されて、小さな力でも開放を行うことが可能となる。
また、従来のような窓穴などを設ける特別な構造などではなく、複雑な機構も用いてないことから、気密性の低下や防犯性の低下などを起こすことがなく、簡素な構成で容易に実現できる。
【００４４】
また、レバーの揺動を連動機構に伝わる構成とすることで、レバーの揺動から扉の開放への操作をスムーズに行うことができ、この扉の開放時に、気圧差解消のための操作を有することを意識しなくとも、楽に扉を開放させることが可能となる。
【００４５】
さらに、突出杆の先端に斜面を設け、当接部をローラにて構成させることで、互いの接触時が線接触となるとともに、ローラが回転することで、突出杆の進出移動を助勢でき、扉の開放方向への移動をスムーズなものとすることができる。
【００４６】
また、レバーに自在継手を備える構成としたことで、開放操作時に把手を引く側では、レバーとともに把手を掴み持って引く操作となるが、把手の移動に伴ってレバーの先端側が扉面より離脱する方向へ揺動移動するので、把手の移動を妨げることがなく、扉の開放操作をスムーズに行うことができるという効果がある。
【００４７】
さらに、レバー先端近傍に、把手の裏面に当接する緩衝部を設けたことで、上記のような把手の掴み持つ操作時に、レバーと把手とが当接しても、把手側に傷をつけることがない。このことから、把手の塗膜やメッキの剥離などを発生させることがない。
【図面の簡単な説明】
【図１】本発明による扉の構造の一実施の形態を示す正面図である。
【図２】同扉の構造の側断面図である。
【図３】同扉の構造の機構部分を示す概略正面図である。
【図４】同扉の構造における扉開放操作時の平断面図を（ａ）に、正断面図を（ｂ）に示した動作説明図である。
【図５】同扉の構造における扉開放操作時の平断面図を（ａ）に、正断面図を（ｂ）に示した動作説明図である。
【図６】同扉の構造における扉開放操作時の側断面図である。
【図７】同扉の構造における扉開放操作時の機構部分における正断面図である。
【符号の説明】
１…扉
１ｃ…木口
２…把手（グリップ）
２ａ…裏面
１０…連動機構
１２…ラッチ
２３…突出杆
２６，２７…レバー
３６…自在継手
３９…緩衝部（ローラ）
４１…当接部
４２…枠体
４４…ローラ
【図１】
2004285656.tif 000003
【図２】
2004285656.tif 000004
【図３】
2004285656.tif 000005
【図４】
2004285656.tif 000006
【図５】
2004285656.tif 000007
【図６】
2004285656.tif 000008
【図７】
2004285656.tif 000009